(57)【特許請求の範囲】
【請求項１】
ケーシングに操作レバーとクリックストップ機構とを備え、前記ケーシングに前記クリックストップ機構とは別途にポジション維持手段を設け、このポジション維持手段によって前記クリックストップ機構を介して切り換えられた前記操作レバーの選択位置を維持するとともに前記操作レバーを前記クリックストップ機構を介して作動させ、スイッチの接点を切り換えるレバースイッチ用ポジション維持装置において、前記ポジション維持手段は、前記ケーシングに設置された係止板と前記操作レバーに設置された係止球とからなり、前記係止板の係止孔に前記係止球を弾性的に係止可能とし、且つ、この係止球の弾性力は前記クリックストップ機構の弾性力よりも小さいことを特徴とするレバースイッチ用ポジション維持装置。
【発明の詳細な説明】
【技術分野】
【０００１】
この発明はレバースイッチ用ポジション維持装置に関し、操作レバーをクリックストップ機構を介して作動させるレバースイッチに使用されるものである。
【背景技術】
【０００２】
従来におけるこの種のレバースイッチにおいては、操作レバーを前記クリックストップ機構を介して作動させ、スイッチの接点を切り換え、操作レバーの位置は前記クリックストップ機構の弾性力によって維持されていた。そして、操作レバーを大きく重くした場合には操作レバーのがたつきや誤作動を防止するために、前記クリックストップ機構の弾性力を大きくしていた。
【０００３】
【特許文献１】特開昭６０−６５９３１号公報
【発明の開示】
【発明が解決しようとする課題】
【０００４】
しかしながら、かかる従来のレバースイッチにあっては、操作レバーのポジション維持力は操作レバーの操作力に比例していたため、前記クリックストップ機構の弾性力を大きくすると操作レバーの操作力も大きくなり、この結果、操作レバーの操作がしにくいという不都合を有した。
【０００５】
これらの不都合を解消することがこの発明の課題である。
【課題を解決するための手段】
【０００６】
前記課題を達成するために、この発明にかかるレバースイッチ用ポジション維持装置においては、ケーシングに操作レバーとクリックストップ機構とを備え、前記ケーシングに前記クリックストップ機構とは別途にポジション維持手段を設け、このポジション維持手段によって前記クリックストップ機構を介して切り換えられた前記操作レバーの選択位置を維持するとともに前記操作レバーを前記クリックストップ機構を介して作動させ、スイッチの接点を切り換えるレバースイッチ用ポジション維持装置において、前記ポジション維持手段は、前記ケーシングに設置された係止板と前記操作レバーに設置された係止球とからなり、前記係止板の係止孔に前記係止球を弾性的に係止可能とし、且つ、この係止球の弾性力は前記クリックストップ機構の弾性力よりも小さくしたものである。
【発明の効果】
【０００７】
この発明に係るレバースイッチ用ポジション維持装置は上記のように構成されているため、即ち、ケーシングに操作レバーとクリックストップ機構とを備え、前記ケーシングに前記クリックストップ機構とは別途にポジション維持手段を設け、このポジション維持手段によって前記クリックストップ機構を介して切り換えられた前記操作レバーの選択位置を維持するとともに前記操作レバーを前記クリックストップ機構を介して作動させ、スイッチの接点を切り換えるレバースイッチ用ポジション維持装置において、前記ポジション維持手段は、前記ケーシングに設置された係止板と前記操作レバーに設置された係止球とからなり、前記係止板の係止孔に前記係止球を弾性的に係止可能とし、且つ、この係止球の弾性力は前記クリックストップ機構の弾性力よりも小さくしたため、前記クリックストップ機構の弾性力を大きくしなくても操作レバーのポジション維持力を大きくすることができるともに前記ポジション維持手段を、前記ケーシングに設置された係止板と前記操作レバーに設置された係止球とから構成し、前記係止板の係止孔に前記係止球を弾性的に係止可能とし、且つ、この係止球の弾性力を前記クリックストップ機構の弾性力よりも小さくしたため、簡単な構成で前記ポジション維持手段を設置講することができる。
【０００８】
よって、この発明に係るレバースイッチ用ポジション維持装置を使用すれば、操作レバーを大きく重くした場合にも前記クリックストップ機構の弾性力を大きくする必要はないため、操作レバーの操作力は大きくならず、操作しやすいものである。即ち、操作レバーの操作力に影響しない状態で前記操作レバーの選択位置を維持することができるため、操作レバーの大きさ重さに関係なく操作しやすいレバースイッチを提供することができるとともに簡単な構成で前記ポジション維持手段を設置講することができるものである。
【発明を実施するための最良の形態】
【０００９】
この発明に係るレバースイッチ用ポジション維持装置は実施するにあたって下記の構成に最も主要な特徴を有する。
【００１０】
「レバースイッチ」とはケーシングに操作レバーとクリックストップ機構とを備え、前記操作レバーを前記クリックストップ機構を介して作動させ、スイッチの接点を切り換えるスイッチである。
【００１１】
「ポジション維持手段」はクリックストップ機構とは別途に設けられる。
【００１２】
「ポジション維持手段」は、前記ケーシングに設置された係止板と前記操作レバーに設置された係止球とからなり、前記係止板の係止孔に前記係止球を弾性的に係止可能とする。この係止球の弾性力は前記クリックストップ機構の弾性力よりも小さいものである。
【実施例】
【００１３】
以下、この発明の実施例を図面に基づいて説明する。図１はこの発明に係るレバースイッチ用ポジション維持装置の実施例の斜視図、図２は同分解斜視図、図３は図１におけ    るIII-III線断面図、図４は図３におけるIV−IV線断面図、図５は図３におけるV−V線断面図、図６はこの発明に係るレバースイッチ用ポジション維持装置におけるポジション維持手段の斜視図、図７は図６におけるVII矢視の斜視図、図８は図７の分解斜視図、図９は操作レバーのストロークと荷重との関係において、この発明に係るレバースイッチ用ポジション維持装置と従来例とを比較したグラフである。
【００１４】
図１〜図５において、Ａは前進・後退スイッチ(この発明のレバースイッチに相当する)、１０はそのケーシングである。このケーシング１０はケーシング本体１１と蓋体１２とから構成される。
【００１５】
２０は作動部材であり、前記ケーシング本体１１に内嵌めされ、その内壁面に沿って揺動可能である。２１は操作レバーであり、
前記作動部材２０に設置されている。この操作レバー２１は前記ケーシング１０から外側に突出している。そして、この操作レバー２１を作動させることによって、前記作動部材２０を前記ケーシング１０内で揺動させ、スイッチの接点を切り換える。
【００１６】
１３、１４、１５はクリック用Ｖ溝であり、前記ケーシング本体１１の対向する内壁面にそれぞれ楔部１６、１７を介して形成されている。これらのクリック用Ｖ溝１３、１４、１５及び楔部１６、１７は前記作動部材２０の揺動方向に並んでいる。
【００１７】
２２は第一取付穴であり、前記作動部材における両側の先端面にそれぞれ形成されている。この第一取付穴２２は前記作動部材２０の揺動中心に向かって延びている。２３はクリック球であり、前記第一取付穴２２に出没可能に設置されている。このクリック球２３は第一圧縮コイルバネ２４によって外側に弾発され、その先端部が前記クリック用Ｖ溝１３、１４，１５に選択的に係止し、所謂、クリックストップ機構を構成している。
【００１８】
次に図２〜図８において３０は係止板であり、前記ケーシング本体１１の対向する内壁面の上部にそれぞれ掛け止めされている(図６〜図８参照のこと)。この係止板３０は前記クリック用Ｖ溝１３、１４，１５を横切る状態で配置されている。３１、３２、３３は係止孔であり、前記係止板３０に形成されている。これらの係止孔３１、３２，３３は真円であり、その中心は前記クリック用Ｖ溝１３、１４、１５の最深部の上方に位置している(図６、図７参照のこと)。
【００１９】
５１は第二取付穴であり、前記作動部材２０における両側の上部先端面にそれぞれ形    成されている。この第二取付穴５１は、前記第一取付穴２２の上方に位置し前記作動部材２０の揺動中心に向かって延びている。５２は係止球であり、前記第二取付穴５１に出没可能に設置されている。この係止球５２は第二圧縮コイルバネ５３によって外側に弾発され、その先端部が前記係止孔(係止板３０の)３１、３２、３３に選択的に係止される。
【００２０】
この係止板３０と第二取付穴５１と係止球５２と第二圧縮コイルバネ５３とによってこの発明の「ポジション維持手段」が構成される。
【００２１】
次に、図４及び図５に基づいて、前記実施例の作動を説明する。
【００２２】
図４の状態は、前記クリック球２３が前記クリック用Ｖ溝１３に係止しスイッチとしての接点を選択している。このとき、前記係止球５２は図５に示すように前記係止孔３１にわずかに係止され、そのポジションを維持している。この状態で前記操作レバーを反時計方向(図４、図５において)に揺動させるとクリックストップ的に前記クリック球２３は前記楔部１６を乗り越えて隣の前記クリック用Ｖ溝１４に侵入し、スイッチの接点を切り換える。
【００２３】
このとき、前記係止球５２は前記係止孔３１から抜け出て前記係止板の平面部を移動し、隣の前記係止孔３２に係止されそのポジションを維持する。このときのストロークと操作荷重との関係は、図９に示すように、操作レバーの動きはじめのみに大きな荷重を必要とするのみで、楔部１６を乗り越える際は平面を移動する荷重は小さくなり以後は従来と同じである。このように操作力は小さい状態でポジション維持力を確保することができる。
【００２４】
なお前記操作レバー２１による前記クリック球２３の前記クイック用Ｖ溝１５への切り替えの際も、前記係止球５２が前記係止孔３３へ移動し同様の機構で行われる。逆方向への切り替えも同じように行われる。
【産業上の利用可能性】
【００２５】
この発明に係るこの発明に係るレバースイッチ用ポジション維持装置は、前記クリックストップ機構の弾性力を大きくしなくても操作レバーのポジション維持力を大きくすることができる。操作レバーを大きく重くした場合にも前記クリックストップ機構の弾性力を大きくする必要はないため、操作レバーの操作力は大きくならず、操作しやすいものである。即ち、操作レバーの操作力に影響しない状態で前記操作レバーの選択位置を維持することができるため、操作レバーの大きさ重さに関係なく操作しやすいレバースイッチを提供することができる。産業上の利用可能性は高いものである。
【図面の簡単な説明】
【００２６】
【図１】図１はこの発明に係るレバースイッチ用ポジション維持装置の実施例の斜視図である。
【図２】図２は同分解斜視図である。
【図３】図３は図１におけるIII-III線断面図である。
【図４】図４は図３におけるIV−IV線断面図である。
【図５】図５は図３におけるV−V線断面図ある。
【図６】図６はこの発明に係るレバースイッチ用ポジション維持装置におけるポジション維持手段の斜視図である。
【図７】図７は図６におけるVII矢視の斜視図である。
【図８】図８は図７の分解斜視図である。
【図９】図９は操作レバーのストロークと荷重との関係において、この発明に係るレバースイッチ用ポジション維持装置と従来例とを比較したグラフである。
【符号の説明】
【００２７】
Ａ  …  前進・後退スイッチ(レバースイッチ)
１０  …  ケーシング
１１  …  ケーシング本体
１２  …  蓋体
１３  …  クリック用Ｖ溝
１４  …  クリック用Ｖ溝
１５  …  クリック用Ｖ溝
１６  …  楔部
１７  …  楔部
２０  …  作動部材
２１  …  操作レバー
２２  …  第一取付穴
２３  …  クリック球
２４  …  第一圧縮コイルバネ
３０  …  係止板(ポジション維持手段)
３１  …  係止孔
３２  …  係止孔
３３  …  係止孔
５１  …  第二取付穴(ポジション維持手段)
５２  …  係止球(ポジション維持手段)
５３  …  第二圧縮コイルバネ(ポジション維持手段)
【要約】 
【構成】ケーシングにクリックストップ機構とは別途にポジション維持手段を設け、このポジション維持手段によって前記クリックストップ機構を介して切り換えられた前記操作レバーの選択位置を維持するようにしたレバースイッチ用ポジション維持装置である。
【効果】クリックストップ機構の弾性力を大きくしなくても操作レバーのポジション維持力を大きくすることができる。操作レバーを大きく重くした場合にも前記クリックストップ機構の弾性力を大きくする必要はないため、操作レバーの操作力は大きくならず操作しやすい。操作レバーの大きさ重さに関係なく操作しやすいレバースイッチを提供することができる。
【選択図】      図２【図１】
0005342677.tif 000002
【図２】
0005342677.tif 000003
【図３】
0005342677.tif 000004
【図４】
0005342677.tif 000005
【図５】
0005342677.tif 000006
【図６】
0005342677.tif 000007
【図７】
0005342677.tif 000008
【図８】
0005342677.tif 000009
【図９】
0005342677.tif 000010